(57)【要約】【課題】本発明は、取り付け作業が容易であり、かつ光源で発生した熱を効率よく放熱することができる照明器具を提供することを目的とする。【解決手段】照明器具１は、複数のＬＥＤ２が実装された基板１５を備えた光源部３と、基板１５の基板実装面１５ａ側から見て光源部３の外周囲からはみ出さず、かつ基板１５の中心軸１５ｂの軸方向に沿って配置されて光源部３に電源を供給する駆動用電源回路１３ａ，１３ｂを収納する電源収納部５と、電源収納部５と光源部３との間に空間１７を設けて電源収納部５を光源部３に連結する連結部７とを有している。【選択図】図１
2015220125.tif 000002
【特許請求の範囲】
【請求項１】
基板の基板実装面に実装された複数の発光素子を備えた光源部と、
前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、
前記電源収納部と前記光源部との間に空間を設けて前記電源収納部を前記光源部に連結する連結部と
を有することを特徴とする照明器具。
【請求項２】
前記連結部は、アーチ状を有し、
前記光源部は、前記連結部の両端に取り付けられ、
前記電源収納部は、前記連結部の中央に取り付けられていること
を特徴とする請求項１記載の照明器具。
【請求項３】
前記光源部は、前記基板実装面の裏面側に設けられ、前記基板で発生した熱を放熱する放熱部を有し、
前記連結部は前記放熱部に取り付けられていること
を特徴とする請求項１又は２に記載の照明器具。
【請求項４】
前記光源部は、前記基板実装面側で前記放熱部に取り付けられて前記発光素子が出射する光を透過するとともに前記発光素子を保護する透光性保護部を有し、
前記透光性保護部は、前記基板と前記透光性保護部と前記放熱部とで囲まれた空間の圧力を調整する内圧調整部を有すること
を特徴とする請求項３記載の照明器具。
【請求項５】
前記光源部は、前記放熱部上に配置された冷却ファンと、前記冷却ファンを収容するファン収容部とを有すること
を特徴とする請求項３又は４に記載の照明器具。
【請求項６】
前記ファン収容部は、前記ファン収容部の内部に外気を吸気する吸気口と、前記吸気口から内部に指が進入するのを防止する防止部とを有すること
を特徴とする請求項５記載の照明器具。
【請求項７】
前記電源収納部の一部は、開閉できるように形成されていること
を特徴とする請求項１から６までのいずれか一項に記載の照明器具。
【請求項８】
前記基板実装面には、
基板実装面中央に配置されて前記駆動用電源回路が出力する電流を前記発光素子に供給する少なくとも１つのコネクタと、
前記コネクタを囲んで配置された前記複数の発光素子と、
前記コネクタを囲んで配置され前記発光素子に流す電流量を調整する複数の抵抗素子と
が実装されていること
を特徴とする請求項１から７までのいずれか一項に記載の照明器具。
【請求項９】
前記電源収納部の中心と前記基板の中心とが一直線上に配置されていること
を特徴とする請求項１から８までのいずれか一項に記載の照明器具。
【請求項１０】
前記電源収納部は、前記基板実装面を平行に見て、前記光源部と重ならないように配置されていること
を特徴とする請求項１から９までのいずれか一項に記載の照明器具。
【発明の詳細な説明】
【技術分野】
【０００１】
本発明は、高所に取り付けられて下方の床面などを投光する照明器具に関する。
【背景技術】
【０００２】
従来、多目的ホールや体育館などの高天井に取り付けられて下方の床面などを投光する高天井用照明器具が知られている（例えば、特許文献１から３）。
【先行技術文献】
【特許文献】
【０００３】
【特許文献１】特許第５３６６３１２号公報
【特許文献２】特開２０１３−６５４１１号公報
【特許文献３】特開２０１３−７７４７０号公報
【発明の概要】
【発明が解決しようとする課題】
【０００４】
しかしながら、従来の高天井用照明器具は、取り付け作業が煩雑であったり、光源で発生した熱の放熱効率が十分でなかったりするという問題を有している。
【０００５】
本発明の目的は、取り付け作業が容易であり、かつ光源で発生した熱を効率よく放熱することができる照明器具を提供することにある。
【課題を解決するための手段】
【０００６】
上記課題を解決するために、本発明の一態様による照明器具は、基板の基板実装面に実装された複数の発光素子を備えた光源部と、前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、前記電源収納部と前記光源部との間に空間を設けて前記電源収納部を前記光源部に連結する連結部とを有することを特徴とする。
【０００７】
前記連結部は、アーチ状を有していてもよく、前記光源部は、前記連結部の両端に取り付けられていてもよく、前記電源収納部は、前記連結部の中央に取り付けられていてもよい。
【０００８】
前記光源部は、前記基板実装面の裏面側に設けられ、前記基板で発生した熱を放熱する放熱部を有していてもよく、前記連結部は前記放熱部に取り付けられていてもよい。
【０００９】
前記光源部は、前記基板実装面側で前記放熱部に取り付けられて前記発光素子が出射する光を透過するとともに前記発光素子を保護する透光性保護部を有していてもよく、前記透光性保護部は、前記基板と前記透光性保護部と前記放熱部とで囲まれた空間の圧力を調整する内圧調整部を有していてもよい。
【００１０】
前記光源部は、前記放熱部上に配置された冷却ファンと、前記冷却ファンを収容するファン収容部とを有していてもよい。
【００１１】
前記ファン収容部は、前記ファン収容部の内部に外気を吸気する吸気口と、前記吸気口から内部に指が進入するのを防止する防止部とを有していてもよい。
【００１２】
前記電源収納部の一部は、開閉できるように形成されていてもよい。
【００１３】
前記基板は、前記基板実装面の中央に配置されて前記駆動用電源回路が出力する電流を前記発光素子に供給する少なくとも１つのコネクタと、前記コネクタを囲んで前記基板実装面に配置された前記複数の発光素子と、前記コネクタを囲んで前記基板実装面に配置され前記発光素子に流す電流量を調整する複数の抵抗素子とを有していてもよい。
【００１４】
前記電源収納部の中心と前記基板の中心とが一直線上に配置されていてもよい。
【００１５】
前記電源収納部は、前記基板実装面を平行に見て、前記光源部と重ならないように配置されていてもよい。
【発明の効果】
【００１６】
本発明によれば、取り付け作業が容易であり、かつ光源で発生した熱を効率よく放熱することができる。
【図面の簡単な説明】
【００１７】
【図１】本発明の一実施形態による照明器具１の外観斜視図である。
【図２】本発明の一実施形態による照明器具１に備えられた基板１５の基板実装面１５ａ側から見た図である。
【図３】本発明の一実施形態による照明器具１の分解斜視図である。
【図４】本発明の一実施形態による照明器具１に備えられた光源部３の外観斜視図である。
【図５】本発明の一実施形態による照明器具１に備えられた光源部３の分解斜視図である。
【図６】本発明の一実施形態による照明器具１を説明する図であって、放熱部３１への取り付け面側から見たファン収容部３４を模式的に示す図である。
【図７】本発明の一実施形態による照明器具１に備えられた電源収納部５の内部構成を示す図である。
【図８】本発明の一実施形態の変形例による照明器具に備えられた基板１５の基板実装面１５ａ側から見た図である。
【発明を実施するための形態】
【００１８】
本発明の一実施形態による照明器具について図１から図８を用いて説明する。図１は、本実施形態による照明器具１の外観斜視図である。図１（ａ）は、光源部３側から見た斜視図であり、図１（ｂ）は、電源収納部５側から見た斜視図である。図２は、光源部３内に収納された基板１５の基板実装面１５ａ側から見た図である。図３は、照明器具１の分解斜視図である。
図１及び図３に示すように、照明器具１は、複数のＬＥＤ（Ｌｉｇｈｔ  Ｅｍｉｔｔｉｎｇ  Ｄｉｏｄｅ）２（詳細は後述）が実装された基板１５（詳細は後述）を備えた光源部３と、光源部３に電源を供給する駆動用電源回路１３ａ，１３ｂを収納する電源収納部５と、電源収納部５と光源部３との間に空間１７を設けて電源収納部５を光源部３に連結する連結部７とを有している。照明器具１は、多目的ホールや体育館などの高天井に取り付けられて床面や壁面などを投光するようになっている。照明器具１には、駆動用電源回路１３ａ，１３ｂに電源を供給する電源ケーブル１１が設けられている。電源ケーブル１１は、電源収納部５の一側面から上方に引き出されている。これにより、照明器具１は、照明器具１を高天井に設置する際に電源ケーブル１１の引き回しが容易になる。照明器具１は、電源収納部５の電源ケーブル１１が挿入される面上に形成され、照明器具１を高天井に取り付けるための取付治具（不図示）を有している。
【００１９】
図２に示すように、光源部３に備えられた基板１５は、円形薄板形状を有している。基板１５は、複数のＬＥＤ（発光素子の一例）２，２１ａ，２１ｂ，２１ｃ，２１ｄ，２１ｅ，２１ｆ，２１ｇ，２１ｈ，２３ａ，２３ｂ，２３ｃ，２３ｄ，２３ｅが実装された基板実装面１５ａを有している。以下、複数のＬＥＤ２１ａ，２１ｂ，２１ｃ，２１ｄ，２１ｅ，２１ｆ，２１ｇ，２１ｈを「複数のＬＥＤ２１ａ〜２１ｇ」と略記し、複数のＬＥＤ２３ａ，２３ｂ，２３ｃ，２３ｄ，２３ｅを「複数のＬＥＤ２３ａ〜２３ｅ」と略記する場合がある。基板実装面１５ａ上には、複数のＬＥＤ２，２１ａ〜２１ｈ，２３ａ〜２３ｅと複数の抵抗素子４とが同心円状に実装されている。図２では、２７個のＬＥＤ及び１個の抵抗素子のみに参照符号を付しているが、図２中の白色の長方形（後述する容量素子１０ａ，１０ｂ，１０ｃ，１０ｄを表す白色の長方形は除く）がＬＥＤを表し、点状のハッチングが付された長方形が抵抗素子を表している。また、以下、複数のＬＥＤを総称して「複数のＬＥＤ２」又は「ＬＥＤ２」と称する場合がある。基板１５は、基板１５の外周縁の一部を切り欠いて形成した複数の螺子止め部１５１ａ，１５１ｂ，１５１ｃ，１５１ｃ，１５１ｄ，１５１ｅ，１５１ｆ，１５１ｇ，１５１ｈ（以下、「螺子止め部１５１ａ〜１５１ｈ」と略記する場合がある）を有している。基板１５は、基板実装面１５ａ側から螺子止め部１５１ａ〜１５１ｈに挿入された螺子（不図示）によって放熱部３１の基盤部３１ｄ（詳細は後述）に固定される。
【００２０】
基板実装面１５ａ上には、複数のＬＥＤ２及び複数の抵抗素子４によって６個の同心円が形成されている。基板１５の外周部側から数えて１列目から３列目、５列目及び６列目の同心円上に複数のＬＥＤ２が配置され、４列目の同心円上に複数の抵抗素子４が配置されている。複数のＬＥＤ２１ａ〜２１ｈは、螺子止め部１５１ａ〜１５１ｈが形成されており１列目の同心円上に配置できないため１列目の同心円上からずらして配置されているが、電気的結線上は１列目の同心円上に配置されたＬＥＤと看做される。また、複数のＬＥＤ２３ａ〜２３ｅは、配線レイアウト（不図示）上、５列目の同心円上に配置できないため５列目の同心円上からずらして配置されているが、電気的結線上は５列目の同心円上に配置されたＬＥＤと看做される。抵抗素子４は、ＬＥＤ２に供給する電流量を調整し、複数のＬＥＤ２間の素子ばらつき（発光ばらつき）を補正するために設けられている。本実施形態では、基板１５に複数のＬＥＤ２を設けることにより、ＬＥＤ２の１個当たりの発光量を低減させつつ全体として所望の発光量が得られるようになっている。これにより、ＬＥＤ１個に供給する電流量が減るので、複数のＬＥＤ２の長寿命化を図ることができる。
【００２１】
基板１５は積層構造を有している。基板１５は、１層目がアルミニウムで形成されたアルミ基材、２層目が絶縁層、３層目がＬＥＤ２や抵抗素子４などに供給する電流経路となる銅線がパターニングされた銅パターン層、４層目が基板実装面１５ａとなるレジスト層という積層構造を有している。アルミ基材は、例えば２ｍｍの厚さに形成されている。絶縁層は、例えば９５μｍ又は１２０μｍの厚さに形成されている。レジスト層には、白色の油系のレジスト材料が用いられている。これにより、基板実装面１５ａでの反射率が向上し、複数のＬＥＤ２が発光する光の利用効率が向上する。
【００２２】
基板１５の中央には、円形の開口部８が形成されている。開口部８の中点が基板１５の中心軸１５ｂとなる。なお、図２では、理解を容易にするため、「×」印によって中心軸１５ｂを図示しているが、開口部８の中点に「×」印が実際に存在するわけではない。基板実装面１５ａ上には、少なくとも１つ（本実施形態では４つ）のコネクタ６ａ，６ｂ，６ｃ，６ｄが実装されている。コネクタ６ａ，６ｂは、基板実装面１５ａの中央であって開口部８を挟んで配置されている。コネクタ６ｃ，６ｄは、基板実装面１５ａの中央であって開口部８を挟んで配置されている。コネクタ６ａ，６ｂ，６ｃ，６ｄは、互いに等間隔に配置されている。コネクタ６ａ，６ｂ，６ｃ，６ｄは、中心軸１５ｂ周りに約９０°の間隔で設けられている。コネクタ６ａ，６ｂ，６ｃ，６ｄは、駆動用電源回路１３ａ，１３ｂが出力する電流を複数のＬＥＤ２に供給するようになっている。開口部８は、基板実装面１５ａの裏面側（アルミ基材側）から引き回されてコネクタ６ａ，６ｂ，６ｃ，６ｄに接続される電源ケーブル９（図１参照）の通過経路となる。電源ケーブル９には、複数のＬＥＤ２に供給する電流が流れるようになっている。コネクタ６ａ，６ｂ，６ｃ，６ｄは、電源ケーブル９をコネクタ６ａ，６ｂ，６ｃ，６ｄに接続する際の接続作業性が向上し、かつ電源ケーブル９が基板実装面１５ａ上に必要以上に引き回されないように開口部８の近傍に配置されている。コネクタ６ａ，６ｂ，６ｃ，６ｄが開口部８に近接して配置されることにより、基板実装面１５ａ上に電源ケーブル９が引き回されるのが防止される。コネクタ６ａの後ろ側の基板実装面１５ａ上には、容量素子１０ａが２個実装されている。コネクタ６ｂの後ろ側の基板実装面１５ａ上には、容量素子１０ｂが２個実装されている。コネクタ６ｃの後ろ側の基板実装面１５ａ上には、容量素子１０ｃが２個実装されている。コネクタ６ｄの後ろ側の基板実装面１５ａ上には、容量素子１０ｄが２個実装されている。なお、コネクタ６ａ，６ｂ，６ｃ，６ｄの後ろ側とは、基板実装面１５ａ上において、電源ケーブル９を接続する側（前側）とは反対の側をいう。容量素子１０ａ，１０ｂ，１０ｃ，１０ｄは、バイパスコンデンサとしての機能を発揮し、コネクタ６ａ，６ｂ，６ｃ，６ｄを介して複数のＬＥＤ２に供給される電流や電圧が変動するのを防止するようになっている。
【００２３】
複数のＬＥＤ２は、コネクタ６ａ，６ｂ，６ｄｃ，６ｄを囲んで基板実装面１５ａに配置されている。複数の抵抗素子４は、コネクタ６ａ，６ｂ，６ｃ，６ｄを囲んで基板実装面１５ａに配置されている。コネクタ６ａは、仮想直線Ａ及び仮想直線Ｂによって区分された図２中左上側の領域αの基板実装面１５ａ上に実装された複数のＬＥＤ２、２１ａ，２１ｂ，２３ａ，２３ｂへの電流供給用のコネクタである。コネクタ６ｂは、仮想直線Ａ及び仮想直線Ｂによって区分された図２中右上側の領域βの基板実装面１５ａ上に実装された複数のＬＥＤ２，２１ｃ，２１ｄ，２１ｅ，２３ｃへの電流供給用のコネクタである。コネクタ６ｃは、仮想直線Ａ及び仮想直線Ｂによって区分された図２中右下側の領域γの基板実装面１５ａ上に実装された複数のＬＥＤ２，２１ｅ，２１ｆ，２１ｇ，２３ｄへの電流供給用のコネクタである。コネクタ６ｄは、仮想直線Ａ及び仮想直線Ｂによって区分された図２中左下側の領域εの基板実装面１５ａ上に実装された複数のＬＥＤ２，２１ｈ，２１ａ，２３ｅ，２３ａ，２３ｅ，２３ａへの電流供給用のコネクタである。１列目から３列目の同心円上にそれぞれ配置された複数のＬＥＤ２のうちの１個ずつのＬＥＤと、４列目の同心円上に配置された複数の抵抗素子４のうちの１個の抵抗素子と、５列目及び６列目の同心円上のうちのいずれか一方の同心円上に配置された複数のＬＥＤ２のうちの１個のＬＥＤとが直列に接続されている。
【００２４】
したがって、基板１５の外周側から開口部８側に向かって「１列目のＬＥＤ２−２列目のＬＥＤ２−３列目のＬＥＤ２−４列目の抵抗素子４−５列目又は６列目のＬＥＤ２」という並び方でＬＥＤと抵抗素子とが直列接続される。直列接続された４個のＬＥＤ及び１個の抵抗素子４は領域α、領域β、領域γ及び領域εのそれぞれにおいて並列接続されている。より具体的に、１列目の同心円上であって領域αに配置された複数のＬＥＤ２，２１ａ，２１ｂの陽極は互いに接続されてコネクタ６ａの正側の端子に接続されている。５列目及び６列目の同心円上であって領域αに配置された複数のＬＥＤ２，２３ａ，２３ｂの陰極は互いに接続されてコネクタ６ａの負側の端子に接続されている。同様に、１番目の同心円上であって領域βに配置された複数のＬＥＤ２，２１ｃ，２１ｄ，２１ｅの陽極は互いに接続されてコネクタ６ｂの正側の端子に接続されている。５番目及び６番目の同心円上であって領域βに配置された複数のＬＥＤ２，２３ｃの陰極は互いに接続されてコネクタ６ｂの負側の端子に接続されている。同様に、１番目の同心円上であって領域γに配置された複数のＬＥＤ２，２１ｅ，２１ｆ，２１ｇの陽極は互いに接続されてコネクタ６ｃの正側の端子に接続されている。５番目及び６番目の同心円上であって領域γに配置された複数のＬＥＤ２，２３ｄの陰極は互いに接続されてコネクタ６ｃの負側の端子に接続されている。同様に、１番目の同心円上であって領域εに配置された複数のＬＥＤ２，２１ｈ，２１ａの陽極は互いに接続されてコネクタ６ｄの正側の端子に接続されている。５番目及び６番目の同心円上であって領域εに配置された複数のＬＥＤ２，２３ｅ，２３ａの陰極は互いに接続されてコネクタ６ｄの負側の端子に接続されている。
【００２５】
図２に示すように、複数のＬＥＤ２は、基板実装面１５ａ上に離散的に配置されている。照明器具１は、体育館などの天井などに取り付けられ、照明器具１が投光する場所とは所定の距離だけ離れる。このため、投光される場所から照明器具１を見ると、照明器具１はあたかも基板実装面１５ａの全面で面発光しているかのように見える。
【００２６】
図１に戻って、光源部３は、基板実装面１５ａ（図１では不図示）の裏面側に設けられ、基板１５で発生した熱を放熱する放熱部３１を有している。連結部７は放熱部３１に取り付けられている。図１（ｂ）に示すように、放熱部３１は、光の出射側が円形状に形成され全体的に擂鉢形状を有している。詳細は後述するが、放熱部３１には、光の出射側とは反対方向に突出して交互に設けられた複数の外側フィン３１ａ及び内側フィン３１ｂが形成されている。
【００２７】
図１（ａ）に示すように、光源部３は、基板実装面１５ａ側で放熱部３１に取り付けられてＬＥＤ２が出射する光を透過するとともにＬＥＤ２を保護する透光性保護部３２を有している。基板１５（図１では不図示）は、基板実装面１５ａを透光性保護部３２の内面と対向して光源部３内に配置されている。基板実装面１５ａと透光性保護部３２との間には所定の間隙が設けられている。透光性保護部３２は、基板１５と透光性保護部３２と放熱部３１とで囲まれた空間の圧力を調整する内圧調整部３２ａ（詳細は後述）を有している。
【００２８】
光源部３は、透光性保護部３２が落下するのを防止する落下防止部３３を有している。落下防止部３３は、透光性保護部３２の外周部に等間隔に３個設けられている。詳細は後述するが、落下防止部３３は、透光性保護部３２の外周部と放熱部３１の外周部とを挟み込んで、透光性保護部３２を放熱部３１に固定するようになっている。光源部３は、放熱部３１上に配置された冷却ファン３６を収容するファン収容部３４を有している。ファン収容部３４及び冷却ファン３６の詳細については後述する。
【００２９】
電源収納部５は、基板１５の基板実装面１５ａ側から見て光源部３の外周囲からはみ出さず、かつ基板１５の中心軸１５ｂの軸方向に沿って配置されている。電源収納部５は中空直方体形状を有している。電源収納部５は、一の面を開放した箱形状の箱部５１と、この一の面の開放を塞ぐ蓋部５２とを有している。蓋部５２は、箱部５１から取り外すことが可能なようになっている。さらに、図１（ｂ）に示すように、蓋部５２は、箱部５１に係止可能な係止部５２ｂを有している。これにより、箱部５１に係止した状態で蓋部５２を開くことができる。このように、電源収納部５の一部（本例では蓋部５２）は、開閉できるように形成されている。蓋部５２には、駆動用電源回路１３ａ，１３ｂで発生した熱を放熱する複数の放熱口５２ａが形成されている。複数の放熱口５２ａは、それぞれ細長い長方形状を有し、ほぼ平行に並んで形成されている。
【００３０】
連結部７は、電源収納部５と光源部３との間に空間１７を設けて電源収納部５を光源部３に連結するようになっている。連結部７によって空間１７が設けられるため、電源収納部５は、基板実装面１５ａを平行、すなわち基板実装面１５ａの面内方向に見て、光源部３と重ならないように配置されている。電源収納部５が光源部３と重ならないように配置されているため、電源収納部５側に設けられた放熱部３１から放熱した熱は、電源収納部５に伝導せずに空間１７に放出される。これにより、照明器具１の放熱効果が向上する。
【００３１】
連結部７はアーチ状を有している。光源部３は、連結部７の両方の端部７１に取り付けられている。連結部７は放熱部３１に取り付けられている。連結部７の両方の端部７１は二股形状を有している。これにより、連結部７は、４箇所で放熱部３１に取り付けられる。
【００３２】
電源収納部５は、連結部７の中央部７２に取り付けられている。電源収納部５の底面が連結部７の中央部７２に取り付けられている。中央部７２には、電源ケーブル９を通す開口部（詳細は後述）が形成されている。このため、電源収納部５と光源部３との間に電源ケーブル９を配線する際に、電源ケーブル９を空間１７の外側に一旦引き出して側面から電源収納部５に挿入するのではなく、空間１７を介して底面から電源収納部５に直接挿入できる。これにより、光源部３から電源収納部５まで最短の長さで電源ケーブル９を引き回すことができる。
【００３３】
次に、光源部３、電源収納部５及び連結部７の概略構成について図１から図３を参照しつつ、図４から図７を用いてより詳細に説明する。まず、光源部３について図４から図６を用いて説明する。図４は、連結部７に取り付けられた光源部３の外観斜視図である。図５は、光源部３の分解斜視図である。図６は、放熱部３１への取り付け面側から見たファン収容部３４を模式的に示す図である。
【００３４】
図４に示すように、光源部３は、放熱部３１と、放熱部３１の上部に取り付けられたファン収容部３４とを有している。放熱部３１は、光出射側が円形状に形成され全体的に擂鉢形状を有している。放熱部３１は、透光性保護部３２に対向して配置される基盤部３１ｄと、放熱部３１のほぼ中央であって基盤部３１ｄ上に形成された中空円筒部３１ｃとを有している。基盤部３１ｄは円形状に形成されている。基盤部３１ｄは、中空円筒部３１ｃから外周部へ向かって高さが低くなるように傾斜して形成されている。中空円筒部３１ｃの内側は、光源部３と電源収納部５との間に配線される電源ケーブル９（図１参照）が挿通される空洞になっている。放熱部３１は、中空円筒部３１ｃの側壁を囲むように、中空円筒部３１ｃから放熱部３１の外周部に向かって傾斜して薄板形状に形成された複数の外側フィン３１ａを有している。外側フィン３１ａは、基盤部３１ｄ上から屹立して形成されている。放熱部３１は、隣り合う外側フィン３１ａの間に配置され薄板形状に形成された複数の内側フィン３１ｂを有している。内側フィン３１ｂは、基盤部３１ｄ上から屹立して形成されている。内側フィン３１ｂは山形状に形成されている。内側フィン３１ｂは、中空円筒部３１ｃには接触しないように形成されている。外側フィン３１ａと内側フィン３１ｂとは、中空円筒部３１ｃの周りに交互に配置されている。
【００３５】
放熱部３１は、形成材料としてアルミニウムを用いたダイキャストにより形成されている。これにより、放熱部３１は、高剛性、軽量化及び高放熱性が図られている。外側フィン３１ａ及び内側フィン３１ｂの形状や配置位置は、ダイキャストで用いる金型の抜け性と、放熱時の通気性とを考慮して決定されている。
【００３６】
複数の外側フィン３１ａのうちの４個の外側フィン３１ａには、光源部３を連結部７に取り付けるための取付部３１ｅが形成されている。取付部３１ｅが形成された外側フィン３１ａは、互いに等間隔に配置されている。取付部３１ｅが形成された外側フィン３１ａは、中空円筒部３１ｃの中心軸周りに約９０°の間隔で設けられている。取付部３１ｅは、外側フィン３１ａの他の領域より幅広に形成されている。取付部３１ｅは、内壁面に螺子が切られた螺子孔（不図示）を有している。連結部７の分岐部７３（詳細は後述）を取付部３１ｅ上に配置した状態で螺子Ｓ７を取付部３１ｅの螺子孔と螺合することにより、光源部３は連結部７に取り付けられて固定される。外側フィン３１ａ、内側フィン３１ｂ、中空円筒部３１ｃ、基盤部３１ｄ及び取付部３１ｅは、一体的に形成されている。
【００３７】
ここで、放熱部３１の内部構成について図５を用いて説明する。図５に示すように、放熱部３１と透光性保護部３２との間には、透光性保護部３２側から順に、Ｏリング３５と、複数のＬＥＤ２が実装された基板１５と、基板１５の背面側に配置されるヒートシンク３７と、ヒートシンク３７と放熱部３１との間に配置されるＯリング３９とが配置されている。なお、図５では、理解を容易にするため、基板１５に実装された複数のＬＥＤを白色の四角枠で表すとともに、配置レイアウトは図２とは異ならせて図示している。また、図５では、本来、基板１５上に実装されている複数の抵抗素子４、複数の容量素子１０ａ，１０ｂ及び複数のコネクタ６ａ，６ｂ（図２参照）並びに開口部８の図示は省略されている。
【００３８】
透光性保護部３２は薄皿（シャーレ）形状を有している。この薄皿形状における円形底面部が複数のＬＥＤ２が出射した光を透過する透光性保護部３２の光透過領域３２０となる。光透過領域３２０は、ポリカーボネートで形成されている。光透過領域３２０の外周部には、内圧調整部３２ａが設けられている。内圧調整部３２ａは、光透過領域３２０に形成された開口部（不図示）を塞ぐように形成された膜状の部材である。内圧調整部３２ａは、高い通気性を有している。内圧調整部３２ａは例えば多孔質膜である。内圧調整部３２ａは、基板１５と透光性保護部３２と放熱部３１とで囲まれた空間の圧力が照明器具１の使用環境によって変化するのを防止するようになっている。例えば照明器具１の使用環境の温度が高くなって透光性保護部３２と基板１５とで囲まれた空間の圧力上昇すると、内圧調整部３２ａを介して当該空間の空気が外部に放出される。これにより、当該空間の圧力が定常状態に調整される。
【００３９】
Ｏリング３５は、複数のＬＥＤ２が出射する光を遮らない光透過領域３２０の外周部に配置される。見方を変えると、複数のＬＥＤ２が出射する光はＯリング３５の内側領域を通過する。Ｏリング３５はゴムで形成されている。基板１５は、基板実装面１５ａを光透過領域３２０に対面させてＯリング３５上に配置される。
【００４０】
上述のとおり、基板１５の１層目はアルミ基材となっており、このアルミ基材に接触してヒートシンク３７が配置される。ヒートシンク３７はアルミニウムで形成されている。ヒートシンク３７は、薄板形状であって基板１５よりも直径が短い円形状を有している。ヒートシンク３７は、中空円筒部３１ｃの内径よりも一回り大きく形成されている。ヒートシンク３７の中央には、コネクタ６ａ，６ｂ（図２参照）に接続され、電源ケーブル９内に挿通された電線９ａ，９ｂを通過させるための開口部３７ａが形成されている。ヒートシンク３７は、後述する冷却ファン３６によって冷却されて冷熱を基板１５に伝導するようになっている。
【００４１】
ヒートシンク３７と放熱部３１との間に配置されるＯリング３９は、放熱部３１に形成されたＯリング受け部３１０に嵌め込んで配置される。Ｏリング受け部３１０は、中空円筒部３１ｃの端部周囲であって基盤部３１ｄの内周側に形成されている。Ｏリング受け部３１０は、基盤部３１ｄの他の領域よりも低くなる階段状に形成されている。Ｏリング３９はゴムで形成されている。Ｏリング３９は、Ｏリング受け部３１０の段差による深さよりも太く形成されている。このため、Ｏリング３９をＯリング受け部３１０に載置した状態では、Ｏリング３９の一部は、ヒートシンク３７に対向する基盤部３１ｄの表面から突出する。ヒートシンク３７は複数の螺子Ｓ１９によって基盤部３１ｄに螺子止めされる。さらに、基板１５は、複数の螺子Ｓ１８によってヒートシンク３７を覆って基盤部３１ｄに螺子止めされる。Ｏリング３９の一部はヒートシンク３７に対向する基盤部３１ｄの表面から突出しているため、ヒートシンク３７及び基板１５を基盤部３１ｄに螺子止めすると、Ｏリング３９は基板１５及びヒートシンク３７とＯリング受け部３１０とによって圧縮される。その結果、Ｏリング受け部３１０近傍の基盤部３１ｄとヒートシンク３７との接触部で隙間が生じるのが防止され、基盤部３１ｄとヒートシンク３７との密封度が向上する。
【００４２】
図示は省略するが、開口部３７ａには、Ｏリング状パッキン及び粘性パッキンとが埋め込まれている。Ｏリング状パッキンは開口部３７ａの内壁に接触して設けられ、粘性パッキンはＯリング状パッキンの内周側に設けられている。電源ケーブル９内に挿通された電線９ａ，９ｂ（図３参照）は粘性パッキンの内周側に挿入されている。電線９ａ，９ｂは、Ｏリング状パッキン及び粘性パッキンによって押圧されているので、所定の外力が加わらない限り挿入方向にずれないようになっている。開口部３７ａ内は、このＯリング状パッキンと粘性パッキンと電線９ａ，９ｂとで塞がれている。このように、ヒートシンク３７に形成された開口部３７ａはＯリング状パッキンなどによって塞がれており、かつ基盤部３１ｄとヒートシンク３７とは密封されている。
【００４３】
基板１５は、ヒートシンク３７を覆って放熱部３１に螺子止めされる。その結果、ヒートシンク３７の全面は、基板１５のアルミ基材と面接触する。このため、ヒートシンク３７は、冷却ファン３６による冷熱を局所的ではなく全面で基板１５に伝導することができる。さらに、アルミ基材は表面が研磨加工されており、基板１５とヒートシンク３７との密着性が向上されている。これにより、基板１５の冷却効率が向上する。また、基板１５は、アルミ基材が基盤部３１ｄに対向する領域のうち、ヒートシンク３７と接触している領域を除く領域で基盤部３１ｄと接触している。基板１５のアルミ基材は、表面が研磨加工されており、かつ基盤部３１ｄに面で接触できるので、ＬＥＤ２から発生した熱を効率よく放熱部３１に伝導することができる。このように、本実施形態では、基板１５の内側領域はヒートシンク３７を介して効率よく冷却され、基板１５の外側領域は効率よく放熱するので、ＬＥＤ２の発光によって基板１５の温度が上昇するのが防止される。また、本実施形態では、基板１５の内側領域と外側領域との冷却機構が区別されているわけではなく、内側領域が冷却された冷熱は外側領域に伝導して外側領域の冷却に寄与し、内側領域に配置されたＬＥＤ２で発生した熱は外側領域を介して放熱部３１から放熱されるようにもなっている。
【００４４】
Ｏリング３５が載置された透光性保護部３２は、基板１５及びヒートシンク３７とが取り付けられた放熱部３１に落下防止部３３を用いて固定される。落下防止部３３は、基板１５の中心軸１５ｂ周りに約１８０°の間隔で３個設けられている。図４及び図５に示すように、落下防止部３３は、外側フィン３１ａを挟み込む切込みを備えた二股部３３ａと、二股部３３ａにほぼ直交して形成された平板部３３ｂと、平板部３３ｂの端部を二股部３３ａの伸びる方向に折り返して形成された折り返し部３３ｃとを有している。
【００４５】
二股部３３ａの先端は鍵爪形状に形成されている。これにより、二股部３３ａの先端を中空円筒部３１ｃに引っ掛けることができる。二股部３３ａは、二股部３３ａの先端を中空円筒部３１ｃに引っ掛けた状態で、外側フィン３１ａの先端が平板部３３ｂに接触しない長さに切れ込まれている。二股部３３ａは、基盤部３１ｄの傾斜角度に合わせて先端から平板部３３ｂ側に向かって厚さが厚くなるように形成されている。これにより、落下防止部３３によって放熱部３１と透光性保護部３２とを固定したときに、二股部３３ａの全体で基盤部３１ｄが押圧されるようになる。
【００４６】
平板部３３ｂは平板形状を有している。平板部３３ｂは、落下防止部３３によって放熱部３１と透光性保護部３２とを固定したときに、二股部３３ａが放熱部３１を押圧し、折り返し部３３ｃが透光性保護部３２を押圧することができる長さに形成されている。平板部３３ｂは、落下防止部３３によって放熱部３１と透光性保護部３２とを固定したときに、透光性保護部３２の側壁３２１に対向配置される。折り返し部３３ｃは、落下防止部３３によって放熱部３１と透光性保護部３２とを固定したときに、光透過領域３２０に接触して配置される。このとき、折り返し部３３ｃは、透光性保護部３２を放熱部３１側に押し上げるように光透過領域３２０を押圧する。
【００４７】
透光性保護部３２の側壁３２１の内壁面は、基盤部３１ｄの直径よりも長い直径を有している。このため、放熱部３１と透光性保護部３２とを重ね合わせると、放熱部３１が透光性保護部３２の内側に嵌め込まれる。放熱部３１を透光性保護部３２の内側に嵌め込んだ状態で、落下防止部３３が取り付けられる。より具体的に、落下防止部３３を放熱部３１及び透光性保護部３２に取り付けるためには、まず二股部３３ａの切れ込みに外側フィン３１ａを挟みながら先端を中空円筒部３１ｃに引っ掛ける。先端を中空円筒部３１ｃに引っ掛けた状態で、折り返し部３３ｃが基盤部３１ｄの端部に衝突しない程度に平板部３３ｂを二股部３３ａの伸びる方向とは反対の方向に湾曲させながら二股部３３ａを基盤部３１ｄに接触させる。このとき落下防止部３３を湾曲させるために印加される外力は、落下防止部３３が塑性変形しない程度の力である。その後、平板部３３ｂを湾曲させるために落下防止部３３に加えていた外力を解除する。落下防止部３３は、金属材料（例えばステンレス）で形成されており、落下防止部３３に加えられていた外力が解除されると、弾性変形していた平板部３ｂは元の平板形状に戻る。平板部３３ｂが平板形状に戻る際に、折り返し部３３ｃは、光透過領域３２０側に回り込んで光透過領域３２０と接触した状態で保持される。これにより、二股部３３ａ及び折り返し部３３ｃは反対方向に光源部３を押圧するので、放熱部３１が透光性保護部３２の内側に嵌め込まれた状態が維持される。また、光源部３を下側に向けて照明器具１を家屋の天井に設置した場合、折り返し部３３ｃが天井側に向かう力を透光性保護部３２に加えるので、落下防止部３３は透光性保護部３２が落下するのを防止できる。
【００４８】
放熱部３１と透光性保護部３２との間には、Ｏリング３５が挟み込まれているため、放熱部３１と透光性保護部３２とが落下防止部３３で固定されるとＯリング３５は、基盤部３１ｄと光透過領域３２０とによって圧縮される。その結果、基盤部３１ｄと光透過領域３２０との接触部で隙間が生じるのが防止され、基盤部３１ｄと光透過領域３２０との密封度が向上する。
【００４９】
次に、ファン収容部３４の概略構成について説明する。図４に示すように、放熱部３１の中空円筒部３１ｃの端部には、ファン収容部３４が配置されている。ファン収容部３４は、中空円筒部３１ｃの開口を塞いで配置されている。ファン収容部３４は釣鐘形状を有している。
【００５０】
図５に示すように、ファン収容部３４は、冷却ファン３６（図５では不図示）を固定するファン固定部３４ａと、ファン固定部３４ａの端部に設けられファン収容部３４内に塵などが進入するのを防止する防塵部３４ｂと、防塵部３４ｂの開口に螺子止めされる第１ケーブルグランド３４ｃと、電源ケーブル９（図１参照）を第１ケーブルグランド３４ｃに締め付ける第２ケーブルグランド３４ｄとを有している。ファン固定部３４ａ及び防塵部３４ｂは、ナイロン及びガラスフィラーの混合物で形成されている。これにより、ファン固定部３４ａ及び防塵部３４ｂは、高剛性及び高耐久性が確保される。
【００５１】
図６に示すように、放熱部３１の中空円筒部３１ｃの開口を塞ぐファン固定部３４ａの端部には、冷却ファン３６が固定されている。冷却ファン３６は、放熱部３１上に配置される。冷却ファン３６は螺子Ｓ２０によりファン固定部３４ａに固定されている。冷却ファン３６は軸流送風機である。冷却ファン３６は、ファン収容部３４のファン固定部３４ａに形成された吸気口３４１（詳細は後述）から外気を吸気し、中空円筒部３１ｃを介してヒートシンク３７に冷気を送風するようになっている。中空円筒部３１ｃは冷気の流通経路となる。ファン固定部３４ａと冷却ファン３６との間の領域３４５は、冷却ファン３６の電源を供給する電源ケーブル３６ａが引き回される領域となる。
【００５２】
図４に戻って、ファン収容部３４は、ファン収容部３４の内部に外気を吸気する複数の吸気口３４１と、複数の吸気口３４１からファン収容部３４の内部に指が進入するのを防止する進入防止部３４２とを有している。進入防止部３４２は、吸気口３４１毎に形成されている。吸気口３４１及び進入防止部３４２は、ファン固定部３４ａに形成されている。ファン固定部３４ａは、冷却ファン３６を配置するために、放熱部３１側の一端部が防塵部３４ｂ側の他端部よりも広く形成されている。このため、ファン固定部３４ａは、一端部側の相対的に太い領域と他端部側の相対的に細い領域との２つの領域を有している。吸気口３４１は、この太い領域と細い領域との境界部に形成されている。細い領域の側面は、他端部側からこの境界部に向かって内側に凹ませた凹形状を有している。細い領域の側面を凹ませることによって太い領域と細い領域との境界部に形成された台形状の開口が吸気口３４１となる。吸気口３４１は、ファン固定部３４ａの側壁に合計８個形成されている。吸気口３４１は、冷却ファン３６が固定された領域に連通している。これにより、冷却ファン３６は、吸気口３４１から外気を吸気して冷却風を放熱部３１側に向かって吹き降ろすことができるようになっている。また、冷却ファン３６は、吸気口３４１から所定距離離れて配置されている。これにより、照明器具１は、風切り音が生じるのを防止するようになっている。
【００５３】
進入防止部３４２は、Ｙ字形状を有し、吸気口３４１に張り渡されて形成されている。進入防止部３４２は、吸気口３４１の中心からファン固定部３４ａの側壁に向かって３方向に放射状に形成されている。この３方向のうちの１つはファン固定部３４ａの細い領域の側面に向かって延伸し、残余の２つはファン固定部３４ａの太い領域の側面に向かって延伸している。進入防止部３４２は、吸気口３４１に張り渡されて形成されることにより、吸気口３４１の開口領域を３分割する。これにより、進入防止部３４２は、吸気口３４１に進入防止部３４２が形成されていない場合と比較して、吸気口３４１の開口領域の１つの面積を狭くすることができる。３分割された開口領域の各々面積は、指を挿入できない広さとなる。このため、進入防止部３４２は、吸気口３４１からファン収容部３４の内部に指が進入するのを防止できる。また、進入防止部３４２は、Ｙ字形状を有しているので、吸気口３４１に配置されても吸気口３４１における外気の流入経路をほとんど妨げない。したがって、進入防止部３４２は、ファン収容部３４内への外気の吸気を十分に確保するとともに、ファン収容部３４内への指の進入を防止できる。
【００５４】
ファン収容部３４は、ファン固定部３４ａの太い領域の側壁に螺子受け部３４４を有している。螺子受け部３４４は、冷却ファン３６が固定された開口の中心軸に直交する方向に側壁の一部を凹ませた凹形状を有している。ファン収容部３４は、螺子受け部３４４に形成された螺子孔（不図示）に挿入された螺子Ｓ１６によって放熱部３１に螺子止めされる。
【００５５】
ファン固定部３４ａは、冷却ファン３６及びＬＥＤ２に電源を供給するための電源ケーブルを挿通させる開口部（不図示）を冷却ファン３６が配置される一端部とは反対側の他端部に有している。このため、ファン固定部３４ａの他端部には、塵などがこの開口を介してファン収容部３４内に進入するのを防止するために、防塵部３４ｂが配置されている。防塵部３４ｂは、底面に開口部が形成された御椀形状を有している。この底面に形成された開口部は、冷却ファン３６及びＬＥＤ２に電源を供給するための電源ケーブルを挿通させるために設けられている。防塵部３４ｂは、側壁に形成された複数の螺子受け部３４３を有している。螺子受け部３４３は、底部に形成された螺子孔の中心軸に直交する方向に側壁の一部を凹ませた凹形状を有している。防塵部３４ｂは、螺子受け部３４３に形成された螺子孔（不図示）に挿入された螺子Ｓ１７によってファン固定部３４ａに螺子止めされる。
【００５６】
防塵部３４ｂの底部に形成された螺子孔には、第１ケーブルグランド３４ｃが配置されている。第１ケーブルグランド３４ｃは電源ケーブル９を挿入できる中空形状を有している。第１ケーブルグランド３４ｃの両端側面には螺子が切られている。防塵部３４ｂ側の第１ケーブルグランド３４ｃの一端側面に形成された螺子は、防塵部３４ｂの底部の螺子孔と螺合するようになっている。これにより、第１ケーブルグランド３４ｃは防塵部３４ｂに固定される。第１ケーブルグランド３４ｃの一端側には、例えばエチレン−プロピレン−ジエンゴム（ＥＰＤＭ）で形成されたパッキン（不図示）が設けられている。これにより、第１ケーブルグランド３４ｃを防塵部３４ｂに螺合した際に、第１ケーブルグランド３４ｃと防塵部３４ｂとの密着度が向上するようになっている。
【００５７】
第２ケーブルグランド３４ｄは、ナット形状を有している。第２ケーブルグランド３４ｄの内側面には、第１ケーブルグランド３４ｃの他端側面に形成された螺子と螺合可能な螺子が切られている。第２ケーブルグランド３４ｄを第１ケーブルグランド３４ｃの他端側面に螺合すると、第１ケーブルグランド３４ｃの他端側面は内側に向かう力を第２ケーブルグランド３４ｄから受ける。このため、第１ケーブルグランド３４ｃ及び第２ケーブルグランド３４ｄの中空部に電源ケーブル９をそれぞれ挿入した状態で第２ケーブルグランド３４ｄを第１ケーブルグランド３４ｃに螺合すると、電源ケーブル９は、第１ケーブルグランド３４ｃの他端側面によって押圧される。これにより、電源ケーブル９は、挿通方向にずれなくなり、第１ケーブルグランド３４ｃに固定される。したがって、放熱部３１に取り付けられたファン収容部３４に、電源ケーブル９の固定された第１ケーブルグランド３４ｃが螺子止めされると、電源ケーブル９は放熱部３１に対して固定される。また、第１ケーブルグランド３４ｃの他端側に配置される第２ケーブルグランド３４ｄの一端側には、例えばＥＰＤＭで形成されたパッキン（不図示）が設けられている。これにより、第２ケーブルグランド３４ｄを第１ケーブルグランド３４ｃに螺合した際に、第２ケーブルグランド３４ｄと第１ケーブルグランド３４ｃとの密着度が向上するようになっている。
【００５８】
第１及び第２ケーブルグランド３４ｃ，３４ｄは、ナイロン（例えば、６６ナイロン）などの樹脂材料で形成されている。電源ケーブル９は、第１及び第２ケーブルグランド３４ｃ，３４ｄに挿通された状態で防塵部３４ｂに固定される。このため、電源ケーブル９は照明器具１の使用時に、樹脂材料で形成された第１及び第２ケーブルグランド３４ｃ，３４ｄに接触するのに対し、高剛性を有する防塵部３４ｂに接触しない。これにより、照明器具１の使用時に電源ケーブル９の被覆等に傷が付いて電源ケーブル９が短絡したり切断されたりするのが防止される。このように、第１及び第２ケーブルグランド３４ｃ，３４ｄは、グロメットとしての機能を発揮する。さらに、第１及び第２ケーブルグランド３４ｃ、３４ｄは、防塵部３４ｂの底部に形成された螺子孔からファン収容部３４内に塵などが進入するのを防止する防塵効果も発揮する。
【００５９】
次に、連結部７の概略構成について説明する。図３及び図４に示すように、連結部７は、電源収納部５と放熱部３１との間に空間１７を形成する空間形成部７０と、連結部７の両方の端部７１を放熱部３１にそれぞれ２か所で取り付るために空間形成部７０の端部を分岐する分岐部７３と、空間形成部７０と分岐部７３とを固定する固定部７４とを有している。空間形成部７０、分岐部７３及び固定部７４は、ステンレスで形成されている。連結部７は、照明器具１を天井に取り付けた場合に、光源部３の重量で変形しない程度の強度を有している。また、連結部７は、光源部３下側に向けて照明器具１を床面などに載置した場合に、電源収納部５の重量で変形しない程度の強度を有している。
【００６０】
空間形成部７０は、電源収納部５が配置される座部７０ａと、座部７０ａの両端に形成された一対の脚部７０ｂとを有している。座部７０ａは、薄板直線形状を有し、連結部７の中央部７２に相当する位置が幅広に形成されている。この幅広の部分は、四隅が面取りされた正方形状を有し、電源収納部５の箱部５１の底面５１ｆと主に接触する部分となる。この幅広の部分は、底面５１ｆよりも一回り小さく形成されており、座部７０ａに電源収納部５を固定したときに、底面５１ｆからはみ出さないようになっている。
【００６１】
座部７０ａには、放熱部３１から引き回された電源ケーブル９を挿入する開口部７００と、電源収納部５を固定するための螺子Ｓ１３，Ｓ１５を挿入するための貫通孔Ｈ７０１，Ｈ７０２とが形成されている。開口部７００は座部７０ａの中心から若干ずれた位置に形成されている。開口部７００は、電源ケーブル９を挿通可能なように、電源ケーブル９の直径よりも長い直径を有している。貫通孔Ｈ７０１は、座部７０ａの中心に形成され、螺子Ｓ１３が挿入される。貫通孔Ｈ７０２は、貫通孔Ｈ７０１を挟んで２個形成されており、螺子Ｓ１５（螺子Ｓ１５は１個のみ図示されている）がそれぞれ挿入される。詳細は後述するが、螺子Ｓ１３及び螺子Ｓ１３に螺合するナットＮ２と、２つの螺子Ｓ１５によって、電源収納部５が連結部７に固定される。貫通孔Ｈ７０１が座部７０ａの中心に形成されることにより、螺子Ｓ１３及びナットＮ２によって座部７０ａに加わる外力が座部７０ａの面内で偏るのが防止される。これにより、電源収納部５の箱部５１に外力が加わっても、電源収納部５は連結部７から外れにくくなる。
【００６２】
一対の脚部７０ｂは薄板長方形状を有している。一対の脚部７０ｂは、座部７０ａが箱部５１の底面５１ｆに接触する接触面に対してほぼ直交する方向に伸びて形成されている。一対の脚部７０ｂは、座部７０ａと一体的に形成され、座部７０ａに対して曲線状に折り曲げられて下方に延伸している。一対の脚部７０ｂは、箱部５１の底面５１ｆの一辺の長さよりも長い間隙を設けて対向して配置されている。このため、一対の脚部７０ｂは、電源収納部５を連結部７に固定したときに、底面５１ｆからはみ出すようになっている。脚部７０ｂは先端側に向かって突出する曲線形状の先端部を有している。この先端部には、螺子Ｓ１１が挿入される貫通孔Ｈ７０３が形成されている。この先端部は、分岐部７３及び固定部７４とともに連結部７の端部７１を構成する。
【００６３】
分岐部７３は、円形状に形成され脚部７０ｂの先端部に接触する接触部７３０と、接触部７３０を挟んで反対方向に伸びるとともに段階的に下方に伸びる枝部７３２とを有している。分岐部７３は薄板Ｕ字形状を有している。接触部７３０の中央には、螺子Ｓ１１を挿入する貫通孔Ｈ７３０が形成されている。詳細は後述するが、分岐部７３は、螺子Ｓ１１により空間形成部７０に螺子止めされる。枝部７３２の先端は、ほぼ垂直に折り曲げて形成されいる。折り曲げられた先端には開口部が形成されている。図４に示すように、分岐部７３は、この開口部に挿入された螺子Ｓ７によって放熱部３１の取付部３１ｅに螺子止めされる。
【００６４】
固定部７４はＴ字形状を有している。固定部７４の中央部から伸びる領域の端部には幅方向に対して直交する方向に折り曲げられた一対の爪部７４１が形成されている。固定部７４の左右方向に伸びる領域の各端部には、幅方向に対して直交する方向に折り曲げられた一対の爪部７４２が形成されている。爪部７４１と爪部７４２とは同一方向に折り曲げられている。一対の爪部７４１は、脚部７０ｂの幅よりも長い間隔を有している。爪部７４２は、枝部７３２の幅よりも長い間隔を有している。固定部７４は、爪部７４２が形成された両端から中心方向に向かって等距離の位置に形成され螺子Ｓ１１が挿入される貫通孔Ｈ７４３を有している。
【００６５】
脚部７０ｂに形成された貫通孔Ｈ７０３、分岐部７３に形成された貫通孔Ｈ７３４及び固定部７４に形成された貫通孔Ｈ７４３とをこの順に一直線上に配置して、脚部７０ｂ、分岐部７３及び固定部７４を組み合わせると、図４に示すように、一対の爪部７４１の間に脚部７０ｂが配置され、一対の爪部７４２の間に枝部７３２が配置される。このように互いに組み合わされた状態の脚部７０ｂ、分岐部７３及び固定部７４は、固定部７４側から貫通孔Ｈ７４３，７３４，７０３に挿入された螺子Ｓ１１と、貫通孔Ｈ７０３から突出した螺子Ｓ１１の端部に脚部７０ｂ側から螺合されたナットＮ１とで互いに固定される。脚部７０ｂ、分岐部７３及び固定部７４が螺子Ｓ１１及びナットＮ１によって互いに固定されると、例えば空間形成部７０に貫通孔Ｈ７０３を回転軸とする回転力が外部から加わったとしても、一対の爪部７４１の一方は、脚部７０ｂの側面に接触して空間形成部７０が回転するのを防止する。また、例えば分岐部７３に貫通孔Ｈ７３４を回転軸とする回転力が外部から加わったとしても、一対の爪部７４２の一方は、枝部７３２の側面に接触して分岐部７３が回転するのを防止する。したがって、図１に示すように、光源部３と電源収納部５とが連結部７で連結された状態で、貫通孔７０３，７３０を回転軸とする回転力が光源部３や電源収納部５に加わったとしても、照明器具１は、電源収納部５の中心点５００と基板１５の中心軸１５ｂとが一直線上に配置された状態を維持できる。図３に示すように、電源収納部５の中心点５００は、箱部５１の上面５１ｄから底面５１ｆに向かう（あるいはその逆方向に向かう）４本の仮想対角線が交わる点である。なお、図３及び後述する図７では、理解を容易にするため、「×」印によって中心点５００を図示しているが、電源収納部５の中心に「×」印が実際に存在するわけではない。
【００６６】
次に、電源収納部５の概略構成について説明する。図７は、蓋部５２を取り外して見た電源収納部５の内部構成を示す図である。図７に示すように、電源収納部５は、螺子Ｓ１３と、螺子Ｓ１３に螺合したナットＮ２とによって連結部７に固定されている。さらに、電源収納部５は、螺子Ｓ１３及びナットＮ２に加えて、螺子Ｓ１５（図３参照）によって連結部７に固定されている。電源収納部５の箱部５１の底面５１ｆのほぼ中央には、螺子Ｓ１３を挿入するための貫通孔（不図示）が形成されている。電源収納部５を連結部７に固定するために底面５１ｆと連結部７の座部７０ａ（図３参照）とを対面させると、この貫通孔は、座部７０ａに形成された貫通孔Ｈ７０１と重なるようになっている。これにより、螺子Ｓ１３は貫通孔Ｈ７０１及び底面５１ｆに形成された貫通孔に挿入できる。また、底面５１ｆには、螺子Ｓ１３を挿入するための貫通孔を挟んで２つの螺子孔（不図示）が形成されている。電源収納部５を連結部７に固定するために底面５１ｆと連結部７の座部７０ａとを対面させると、この２つの螺子孔は、座部７０ａに形成された２つの貫通孔Ｈ７０２とそれぞれ重なるようになっている。これにより、螺子Ｓ１５は貫通孔Ｈ７０２を介して底面５１ｆに形成された螺子孔と螺合できる。
【００６７】
電源収納部５は、箱部５１の内部で一対の側面５１ａ，５１ｂに固定された直方体形状の駆動用電源回路１３ａ，１３ｂを有している。駆動用電源回路１３ａは側面５１ａに固定され、駆動用電源回路１３ｂは側面５１ｂに固定されている。駆動用電源回路１３ａの長手方向の両端部には、螺子受け部１３５ａが形成され、駆動用電源回路１３ｂの長手方向の両端部には、螺子受け部１３５ｂが形成されている。駆動用電源回路１３ａは、側面５１ａに形成された貫通孔（不図示）に挿入された螺子Ｓ３と、螺子Ｓ３に螺合されたナットＮ３（図１参照）とで螺子受け部１３５ａを挟持することにより側面５１ａに固定される。駆動用電源回路１３ａは、上下それぞれ２箇所の合計４箇所で電源収納部５内部側の側面５１ａに固定される。駆動用電源回路１３ｂは、側面５１ｂに形成された貫通孔Ｈ５１０、Ｈ５１３に挿入された螺子Ｓ３と、螺子Ｓ３に螺合されたナットＮ３（図１参照）とで挟持することにより側面５１ｂに固定される。駆動用電源回路１３ｂは、上下それぞれ２箇所の合計４箇所で電源収納部５内部側の側面５１ｂに固定される。
【００６８】
箱部５１の上面５１ｄには、電源ケーブル１１を挿入するための開口部５１ｅが形成されている。開口部５１ｅは上面５１ｄのほぼ中央に形成されている（図３参照）。電源収納部５は、開口部５１ｅと重なる位置であって箱部５１の一対の側面５１ａ，５１ｂ間に張り渡された電源ケーブル固定部５１２を有している。電源ケーブル固定部５１２は、駆動用電源回路１３ａ，１３ｂ側を開口した箱形状を有している。一対の側面５１ａ，５１ｂに対面する電源ケーブル固定部５１２の側面にはそれぞれ２個の螺子孔（不図示）が形成されている（図３参照）。箱部５１の側面５１ａ，５１ｂの所定位置には２個の貫通孔Ｈ５１１（側面５１ａの貫通孔Ｈ５１１は不図示）が形成されている（図３参照）。電源ケーブル固定部５１２は、箱部５１に固定される際に、貫通孔Ｈ５１１と電源ケーブル固定部５１２に形成された螺子孔とが互いに配置される。これにより、電源ケーブル固定部５１２は、一対の側面５１ａ，５１ｂ側から挿入された螺子Ｓ１により箱部５１の側面５１ａ，５１ｂに螺子止めされる。
【００６９】
電源ケーブル固定部５１２は、箱部５１の上面５１ｄに形成された開口部５１ｅに重なる位置に螺子孔（不図示）を有している。電源ケーブル１１は、電源ケーブル１１に取り付けられたケーブルグランド１２によって電源収納部５に固定される。開口部５１ｅを介して電源ケーブル固定部５１２の螺子孔に挿入されるケーブルグランド１２の端部表面には、電源ケーブル固定部５１２の螺子孔と螺合可能な螺子が切られている。電源ケーブル１１は、ケーブルグランド１２を電源ケーブル固定部５１２の螺子孔に螺合することにより、電源収納部５に固定される。
【００７０】
図３に示すように、電源ケーブル１１は、２本の電線１１ａ，１１ｂと、電線１１ａ，１１ｂを被覆する被覆部１１ｃとを有している。電線１１ａは、駆動用電源回路１３ａの入力端子１３１ａに接続され、電線１１ｂは、駆動用電源回路１３ｂの入力端子１３１ｂに接続される。電線１１ａ，１１ｂは、電源ケーブル固定部５１２の内側を配線されて入力端子１３１ａ，１３１ｂにそれぞれ接続される。なお、図７では、被覆部１１ｃは電源収納部５の中心点５００まで達する長さに図示されているが、実際には、入力端子１３１ａ，１３１ｂ近傍まで引き延ばされるに留まる。これにより、被覆部１１ｃの端部から入力端子１３１ａ，１３１ｂまでの距離を短くなるので、電源収納部５内部における電線１１ａ，１１ｂの引き回し長さを短くできる。
【００７１】
図３及び図７に示すように、電源ケーブル９は、２本の電線９ａ，９ｂと、電線９ａ，９ｂを被覆する被覆部９ｃとを有している。電源ケーブル９は、連結部７に形成された開口部７００と、箱部５１の底面５１ｆに形成された貫通孔（不図示）とに固定されている。電線９ａ，９ｂは、被覆部９ｃの端部から露出して電源収納部５内部に引き回されている。電線９ａは、駆動用電源回路１３ａの出力端子１３３ａに接続され、電線９ｂは、駆動用電源回路１３ｂの出力端子１３３ｂに接続されている。なお、図７では、電線９ａ，９ｂは、出力端子１３３ａ，１３３ｂに接続されていない状態が図示されている。
【００７２】
電線９ａはコネクタ６ａに接続され、電線９ｂはコネクタ６ｂに接続されている。このため、駆動用電源回路１３ａは、基板１５の領域α，β、γ，ε（図２参照）のいずれか２つの領域に実装された複数のＬＥＤ２を駆動するために使用され、駆動用電源回路１３ｂは、基板１５の残余の領域（図２参照）に実装された複数のＬＥＤ２を駆動するために使用される。また、駆動用電源回路１３ａ，１３ｂのいずれか一方は、冷却ファン３６を駆動する電源としても使用される。駆動用電源回路１３ａ，１３ｂはそれぞれ、出力電力が例えば１００Ｗ以下に設定されている。本実施形態では、１個の大電力用の駆動用電源回路によって全てのＬＥＤを駆動するのではなく、複数個（本例では、２個）の小電力用又は中電力用の駆動用電源回路によって全てのＬＥＤを駆動するようになっている。これにより、本実施形態による照明器具１によれば、１個の駆動用電源回路の消費電力を低減して発熱を抑制することができる。
【００７３】
電源収納部５は、駆動用電源回路１３ａ，１３ｂの入力端子１３１ａ，１３１ｂ及び出力端子１３３ａ，１３３ｂに対面する上面５１ｄ及び底面５１ｆにそれぞれ電源ケーブル１１，９を取り付けることができるようになっている。これにより、照明器具１は、上面５１ｄから底面５１ｆに向かって一方向に電源を配線できる。その結果、照明器具１は、電源ケーブルの配線を単純化でき、配線作業の作業効率を向上できる。
【００７４】
箱部５１の上面５１ｄには、係止受け部５１ｃが形成されている。係止受け部５１ｃは、上面５１ｄを開口した細長い線状に形成されている。係止受け部５１ｃは、箱部５１の開口部側の一端辺近傍に形成されている。係止受け部５１ｃは、蓋部５２に形成された係止部５２ｂを係止できるようになっている。係止部５２ｂは係止受け部５１ｃに挿入可能に形成されている。係止部５２ｂは鍵爪形状に形成されている。係止部５２ｂを係止受け部５１ｃに係止した状態で蓋部５２を開くと、蓋部５２は、箱部５１の開口部側の一端辺近傍、すなわち係止受け部５１ｃを回転軸として回動することができる。これにより、蓋部５２を箱部５１から取り外さなくても、蓋部５２を箱部５１に係止させた状態で電源収納部５の内部を見ることが可能になる。
【００７５】
図３に示すように、蓋部５２は、係止部５２ｂが形成された端辺に対向する端辺側に形成された２つの貫通孔Ｈ５２１を有している。一方、箱部５１の開口部には、係止受け部５１ｃが形成された端辺及びこの端辺に対向する対向端辺に折り返し部５１０が形成されている。対向端辺側の折り返し部５１０には、２つの螺子孔Ｈ５１４が形成されている。箱部５１の開口部に蓋部５２を重ね合わせると、２つの螺子孔Ｈ５１２と２つの螺子孔Ｈ５１４とは、それぞれ１つずつ重なるように配置されている。蓋部５２は、互いに重なり合った螺子孔Ｈ５１２及び螺子孔Ｈ５１４に挿入されて螺子孔Ｈ５１４と螺号した螺子Ｓ５によって箱部５１に螺子止めされて固定される。
【００７６】
蓋部５２を箱部５１に固定した際に蓋部５２に対向する箱部５１の側面には、複数の放熱口５１ｇが形成されている（図７参照）。放熱口５１ｇは、この側面を例えば長方形状に開口して形成されている。放熱口５１ｇは、例えば蓋部５２に形成された放熱口５２ａ（図３参照）と同数形成されている。電源収納部５は、複数の放熱口５１ｇ，５２ａを有しているので、駆動用電源回路１３ａ，１３ｂが発生した熱を外部に放熱できる。また、複数の放熱口５１ｇと複数の放熱口５２ａとは、１対１で対向配置されているので、外部から電源収納部５の内部に流入する外気は電源収納部５内に滞留せずに通過しやすい。これにより、電源収納部５の内部は効率よく冷却される。
【００７７】
以上説明したように、本実施形態による照明器具１では、基板実装面１５ａ側から見て、電源収納部５が光源部３からはみ出さないように配置れている。さらに、照明器具１では、電源収納部５の長手方向が基板１５の中心軸１５ｂの軸方向に沿って配置されている。すなわち、照明器具１は、照明器具１を構成する部材のうち、光源部３の幅が最も広く形成され、全体的に縦長形状を有している。このため、光源部３を下側に向けて複数の照明器具１を床面に並べると、照明器具１は、光源部よりも幅の広い構成部材を有する照明器具と比較して、同一の領域により多く並べることができる。特に、例えばフォークリフトを用いて照明器具１を天井に取り付ける際に、一度にフォークリフトに積載可能な照明器具の個数が従来と比べて多くなる。このため、全ての照明器具の天井への取り付け作業が終了するまでに、照明器具のフォークリフトへの載せ替え回数が少なくなるので、照明器具の取り付け作業が煩雑にならず、かつ作業時間の短縮化を図ることができる。これにより、照明器具の取り付け作業の低コスト化を図ることができる。
【００７８】
また、本実施形態による照明器具１は、光源部３の幅よりも広い幅の構成部材を有していないので、隣り合う光源部３の間に生じる隙間を可能な限り減少させて、光源部３が連続しているかのように照明器具１を天井などに設置できる。
【００７９】
また、本実施形態による照明器具１は、光源部３に設けられた放熱部３１の放熱側に空間１７が設けられている。このため、照明器具１は、放熱部３１が外気に触れる面積が広くなるので、光源部３で発生した熱を効率よく放熱することができる。さらに、照明器具１は、ファン収容部３４が光源部３内部に吸気する空気の流れを空間１７に形成できる。このため、照明器具１は、効率よく光源部３内部に外気を吸気して光源部３を冷却できるので、冷却効率の向上を図ることができる。
【００８０】
（変形例）
次に、本実施形態の変形例による照明器具について図８を用いて説明する。本変形例による照明器具は、電源収納部が１個の駆動用電源回路を収納している点と、ＬＥＤを実装する基板が異なる点を除き、照明器具１と同様の構成を有している。図８は、本変形例における基板１５の基板実装面１５ａ側から見た図である。なお、図２に示す基板１５と同一の機能・作用を奏する構成要素には同一の符号を付してその説明は省略する。
【００８１】
図８に示すように、基板実装面１５ａ上には、複数のＬＥＤ２と複数の抵抗素子４とが同心円状に実装されている。図８では、１つのＬＥＤ及び１つの抵抗素子のみに参照符号を付しているが、図８中の白色の長方形（後述する容量素子１０ａ，１０ｂを表す白色の長方形は除く）がＬＥＤを表し、点状のハッチングが付された長方形が抵抗素子を表している。基板実装面１５ａ上には、複数のＬＥＤ２及び複数の抵抗素子４によって６個の同心円が形成されている。基板１５の外周部側から数えて１列目から３列目、５列目及び６列目の同心円上に複数のＬＥＤ２が配置され、４列目の同心円上に複数の抵抗素子４が配置されている。
【００８２】
基板１５の中央には、円形の開口部８が形成されている。開口部８の中点が基板１５の中心軸１５ｂとなる。基板実装面１５ａ上には、少なくとも１つ（本変形例では２つ）のコネクタ６ａ，６ｂが実装されている。コネクタ６ａ，６ｂは、基板実装面１５ａの中央であって開口部８を挟んで配置されている。コネクタ６ａ，６ｂは、１個の駆動用電源回路（不図示）が出力する電流を複数のＬＥＤ２に供給するようになっている。コネクタ６ａの後ろ側の基板実装面１５ａ上には、容量素子１０ａが２個実装されている。コネクタ６ｂの後ろ側の基板実装面１５ａ上には、容量素子１０ｂが２個実装されている。容量素子１０ａ，１０ｂは、バイパスコンデンサとしての機能を発揮するようになっている。
【００８３】
複数のＬＥＤ２は、コネクタ６ａ，６ｂを囲んで基板実装面１５ａに配置されている。複数の抵抗素子４は、コネクタ６ａ，６ｂを囲んで基板実装面１５ａに配置されている。コネクタ６ａは、仮想直線Ａよりも図２中左側の領域αの基板実装面１５ａ上に実装された複数のＬＥＤ２への電流供給用のコネクタである。コネクタ６ｂは、仮想直線Ａよりも図２中右側の領域βの基板実装面１５ａ上に実装された複数のＬＥＤ２への電流供給用のコネクタである。１列目から３列目の同心円上にそれぞれ配置された複数のＬＥＤ２のうちの１個ずつのＬＥＤと、４列目の同心円上に配置された複数の抵抗素子４のうちの１個の抵抗素子と、５列目及び６列目の同心円上のうちのいずれか一方の同心円上に配置された複数のＬＥＤ２のうちの１個のＬＥＤとが直列に接続されている。
【００８４】
したがって、基板１５の外周側から開口部８側に向かって「１列目のＬＥＤ２−２列目のＬＥＤ２−３列目のＬＥＤ２−４列目の抵抗素子４−５列目又は６列目のＬＥＤ２」という並び方でＬＥＤと抵抗素子とが直列接続される。直列接続された４個のＬＥＤ及び１個の抵抗素子４は領域α及び領域βのそれぞれにおいて並列接続されている。より具体的に、１列目の同心円上であって領域αに配置された複数のＬＥＤ２の陽極は互いに接続されてコネクタ６ａの正側の端子に接続されている。５列目及び６列目の同心円上であって領域αに配置された複数のＬＥＤ２の陰極は互いに接続されてコネクタ６ａの負側の端子に接続されている。同様に、１列目の同心円上であって領域βに配置された複数のＬＥＤ２の陽極は互いに接続されてコネクタ６ｂの正側の端子に接続されている。５列目及び６列目の同心円上であって領域βに配置された複数のＬＥＤ２の陰極は互いに接続されてコネクタ６ｂの負側の端子に接続されている。
【００８５】
図８に示すように、複数のＬＥＤ２は、基板実装面１５ａ上に離散的に配置されている。また、本変形例では、基板実装面１５に実装された複数のＬＥＤ２の個数は、図２に示す基板実装面１５に実装された複数のＬＥＤ２の個数より少ないものの、照明器具は、体育館などの天井などに取り付けられ、照明器具が投光する場所とは所定の距離だけ離れる。このため、投光される場所から照明器具を見ると、照明器具はあたかも基板実装面１５ａの全面で面発光しているかのように見える。
【００８６】
本発明は、上記実施形態に限らず、種々の変形が可能である。
上記実施形態では、ファン収容部３４は冷却ファン３６を収容しているが、本発明はこれに限られない。ファン収容部３４は、同一形状を有するものの冷却ファン３６を収容していなくてもよい。基板１５は、ヒートシンク３７及び放熱部３１と密着して配置されているので、基板１５に実装されたＬＥＤ２から発生した熱は、効率よく放熱することができる。
【００８７】
上記実施形態では、電源収納部５は、係止受け部５１ｃを回転軸して蓋部５２が回動して開閉可能に構成されているが、本発明はこれに限られない。電源収納部５は、例えば蓋部が箱部に対してスライドして開閉可能に構成されていても、上記実施形態と同様の効果が得られる。
【００８８】
上記実施形態では、電源収納部５は、直方体形状を有しているが、本発明はこれに限られない。電源収納部５の形状は、光源部３からはみ出さない大きさであって駆動用電源回路を収納可能になっていれば直方体形状に限定されず、直方体以外の多角形状や円筒状などの他の形状であってもよい。この場合も、上記実施形態と同様の効果が得られる。
【００８９】
上記実施形態では、連結部７は、空間形成部７０、分岐部７３及び固定部７４の３つの部材で構成されているが、本発明はこれに限られない。連結部は、固定部を使用せずに、空間形成部と分岐部とが一体的に形成されていてもよい。また、連結部は、上記実施形態における形状に限られず、外力が加わった場合に光源部及び電源収納部のいずれか一方が回転したり相対位置関係が変化しない構成や強度を有し、かつ光源部と電源収納部との間に空間が確保されていれば他の形状であってもよい。
【００９０】
上記実施形態における内圧調整部３２ａは、通気性の他に防水性及び防塵性を有していてもよい。また、上記実施形態における防塵部３４ｂは、ファン収容部３４内に水などの水分が浸入するのを防止する止水部材としての機能を発揮するようになっていてもよい。
また、上記実施形態における第１及び第２ケーブルグランド３４ｃ，３４ｄは、防塵部３４ｂの底部に形成された螺子孔からファン収容部３４内に水が浸入するのを防止する防止効果も発揮するようになっていてもよい。また、上記実施形態におけるヒートシンク３７は、ファン収容部３４側から基板１５へ水などの水分が浸入するのを防止する止水部材としての機能を発揮するようになっていてもよい。これにより、上記実施形態による照明器具は、高温多湿の環境下で好適に使用できる。
【００９１】
上記実施形態では、発光素子としてＬＥＤが用いられているが、本発明はこれに限られない。例えば、発光素子として、レーザ・ダイオード（半導体レーザ）や有機ＥＬ（Ｅｌｅｃｔｒｏ−Ｌｕｍｉｎｅｓｃｅｎｃｅ）が用いられていても、上記実施形態と同様の効果が得られる。
【００９２】
上記実施形態では、基板１５に複数のＬＥＤ２、複数の抵抗素子６及び複数の容量素子１０ａ，１０ｂが設けられているが、本発明はこれに限られない。基板１５に設けられＬＥＤの個数や発光強度は、使用環境温度などに応じて決定されてもよい。例えば、環境温度が高くなり過酷な使用状況で照明器具１が使用される場合には、ＬＥＤの１個当たりの発光強度が小さくかつ使用個数の多い基板を選択し、使用環境温度が高くならず過酷でない使用状況で照明器具１が使用される場合には、１個当たりの発光強度が大きくかつ実装個数の少ない基板を選択してもよい。これにより、照明器具の使用環境によらず、照明器具１個当たりの発光量を確保した上で、ＬＥＤの長寿命化を図ることができる。
【００９３】
また、１つの基板に実装するＬＥＤについて、ＬＥＤの製造過程における同一ロットのＬＥＤを用いることにより、１つの基板におけるＬＥＤ個々の素子ばらつきを低減させ、抵抗素子を設けないようにしてもよい。これにより、照明器具の低コスト化を図ることができる。
【符号の説明】
【００９４】
１  照明器具
２，２１ａ〜２１ｈ，２３ａ〜２３ｅ  ＬＥＤ
３  光源部
３ｂ  平板部
４  抵抗素子
５  電源収納部
６ａ，６ｂ  コネクタ
７  連結部
８，３７ａ，５１ｅ，７００  開口部
９，１１，３６ａ  電源ケーブル
９ａ，９ｂ，１１ａ，１１ｂ  電線
９ｃ，１１ｃ  被覆部
１０ａ，１０ｂ  容量素子
１２  ケーブルグランド
１３ａ，１３ｂ  駆動用電源回路
１５  基板
１５ａ  基板実装面
１５ｂ  中心軸
１７  空間
３１  放熱部
３１ａ  外側フィン
３１ｂ  内側フィン
３１ｃ  中空円筒部
３１ｄ  基盤部
３１ｅ  取付部
３２  透光性保護部
３２ａ  内圧調整部
３３  落下防止部
３３ａ  二股部
３３ｂ  平板部
３３ｃ，５１０  折り返し部
３４  ファン収容部
３４ａ  ファン固定部
３４ｂ  防塵部
３４ｃ  第１ケーブルグランド
３４ｄ  第２ケーブルグランド
３５，３９  Ｏリング
３６  冷却ファン
３７  ヒートシンク
５１  箱部
５１ａ，５１ｂ  側面
５１ｃ  係止受け部
５１ｄ  上面
５１ｇ，５２ａ  放熱口
５１ｆ 底面
５２  蓋部
５２ｂ  係止部
７０  空間形成部
７０ａ  座部
７０ｂ  脚部
７１   端部
７２  中央部
７３  分岐部
７４  固定部
１３１ａ，１３１ｂ  入力端子
１３３ａ，１３３ｂ  出力端子
１３５ａ，１３５ｂ，３４３，３４４  螺子受け部
１５１ａ，１５１ｂ，１５１ｃ，１５１ｄ，１５１ｅ，１５１ｆ，１５１ｇ，１５１ｈ  螺子止め部
３１０  Ｏリング受け部
３２０  光透過領域
３２１  側壁
３４１  吸気口
３４２  進入防止部
３４５  領域
５００  中心点
５１２  電源ケーブル固定部
７３０  接触部
７３２  枝部
７４１，７４２  爪部
Ｈ５１０，Ｈ５１１，Ｈ５２１，Ｈ７０１，Ｈ７０２，Ｈ７０３，Ｈ７３０，Ｈ７３４，Ｈ７４３  貫通孔
Ｈ５１２，Ｈ５１４  螺子孔
Ｎ１，Ｎ２，Ｎ３  ナット
Ｓ１，Ｓ３，Ｓ７，Ｓ１１，Ｓ１３，Ｓ１５，Ｓ１６，Ｓ１７，Ｓ１８，Ｓ１９，Ｓ２０  螺子
【図１】
2015220125.tif 000003
【図２】
2015220125.tif 000004
【図３】
2015220125.tif 000005
【図４】
2015220125.tif 000006
【図５】
2015220125.tif 000007
【図６】
2015220125.tif 000008
【図７】
2015220125.tif 000009
【図８】
2015220125.tif 000010
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
基板の基板実装面に実装された複数の発光素子を備えた光源部と、
前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、
前記電源収納部と前記光源部との間に空間を設けて前記電源収納部を前記光源部に連結する連結部とを有し、
前記連結部は、両端が二股形状に形成されたアーチ状を有し、
前記光源部は、前記連結部の前記両端に取り付けられていること
を特徴とする照明器具。
【請求項２】
前記電源収納部は、前記連結部の中央に取り付けられていること
を特徴とする請求項１記載の照明器具。
【請求項３】
前記光源部は、前記基板実装面の裏面側に設けられ、前記基板で発生した熱を放熱する放熱部を有し、
前記連結部は前記放熱部に取り付けられていること
を特徴とする請求項１又は２に記載の照明器具。
【請求項４】
前記光源部は、前記基板実装面側で前記放熱部に取り付けられて前記発光素子が出射する光を透過するとともに前記発光素子を保護する透光性保護部を有し、
前記透光性保護部は、前記基板と前記透光性保護部と前記放熱部とで囲まれた空間の圧力を調整する内圧調整部を有すること
を特徴とする請求項３記載の照明器具。
【請求項５】
前記光源部は、前記放熱部上に配置された冷却ファンと、前記冷却ファンを収容するファン収容部とを有すること
を特徴とする請求項３又は４に記載の照明器具。
【請求項６】
前記ファン収容部は、前記ファン収容部の内部に外気を吸気する吸気口と、前記吸気口から内部に指が進入するのを防止する防止部とを有すること
を特徴とする請求項５記載の照明器具。
【請求項７】
前記電源収納部の一部は、開閉できるように形成されていること
を特徴とする請求項１から６までのいずれか一項に記載の照明器具。
【請求項８】
前記基板実装面には、
基板実装面中央に配置されて前記駆動用電源回路が出力する電流を前記発光素子に供給する少なくとも１つのコネクタと、
前記コネクタを囲んで配置された前記複数の発光素子と、
前記コネクタを囲んで配置され前記発光素子に流す電流量を調整する複数の抵抗素子と
が実装されていること
を特徴とする請求項１から７までのいずれか一項に記載の照明器具。
【請求項９】
前記電源収納部の中心と前記基板の中心とが一直線上に配置されていること
を特徴とする請求項１から８までのいずれか一項に記載の照明器具。
【請求項１０】
前記電源収納部は、前記基板実装面を平行に見て、前記光源部と重ならないように配置されていること
を特徴とする請求項１から９までのいずれか一項に記載の照明器具。
【手続補正２】
【補正対象書類名】明細書
【補正対象項目名】０００６
【補正方法】変更
【補正の内容】
【０００６】
上記課題を解決するために、本発明の一態様による照明器具は、基板の基板実装面に実装された複数の発光素子を備えた光源部と、前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、前記電源収納部と前記光源部との間に空間を設けて前記電源収納部を前記光源部に連結する連結部とを有し、前記連結部は、両端が二股形状に形成されたアーチ状を有し、前記光源部は、前記連結部の前記両端に取り付けられていることを特徴とする。
【手続補正３】
【補正対象書類名】明細書
【補正対象項目名】０００７
【補正方法】変更
【補正の内容】
【０００７】
前記電源収納部は、前記連結部の中央に取り付けられていてもよい。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
基板の基板実装面に実装された複数の発光素子を備えた光源部と、
前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、
前記電源収納部と前記光源部との間に空間を設けて前記電源収納部を前記光源部に連結する連結部とを有し、
前記光源部は、前記基板実装面の裏面側に設けられ、前記基板で発生した熱を放熱する放熱部を有し、
前記連結部は、両端が二股形状に形成されたアーチ状を有し、
前記放熱部には、光の出射側とは反対方向に突出して設けられた複数のフィンが形成されており、
前記複数のフィンのうち、他の領域より幅広に形成された領域を有するフィンが、前記連結部の前記両端に前記幅広に形成された領域で取り付けられていること
を特徴とする照明器具。
【請求項２】
前記電源収納部は、前記連結部の中央に取り付けられていること
を特徴とする請求項１記載の照明器具。
【請求項３】
前記光源部は、前記基板実装面側で前記放熱部に取り付けられて前記発光素子が出射する光を透過するとともに前記発光素子を保護する透光性保護部を有し、
前記透光性保護部は、前記基板と前記透光性保護部と前記放熱部とで囲まれた空間の圧力を調整する内圧調整部を有すること
を特徴とする請求項１又は２に記載の照明器具。
【請求項４】
前記光源部は、前記放熱部上に配置された冷却ファンと、前記冷却ファンを収容するファン収容部とを有すること
を特徴とする請求項１から３までのいずれか一項に記載の照明器具。
【請求項５】
前記ファン収容部は、前記ファン収容部の内部に外気を吸気する吸気口と、前記吸気口
から内部に指が進入するのを防止する防止部とを有すること
を特徴とする請求項４記載の照明器具。
【請求項６】
前記電源収納部の一部は、開閉できるように形成されていること
を特徴とする請求項１から５までのいずれか一項に記載の照明器具。
【請求項７】
前記基板実装面には、
基板実装面中央に配置されて前記駆動用電源回路が出力する電流を前記発光素子に供給する少なくとも１つのコネクタと、
前記コネクタを囲んで配置された前記複数の発光素子と、
前記コネクタを囲んで配置され前記発光素子に流す電流量を調整する複数の抵抗素子とが実装されていること
を特徴とする請求項１から６までのいずれか一項に記載の照明器具。
【請求項８】
前記電源収納部の中心と前記基板の中心とが一直線上に配置されていること
を特徴とする請求項１から７までのいずれか一項に記載の照明器具。
【請求項９】
前記電源収納部は、前記基板実装面を平行に見て、前記光源部と重ならないように配置されていること
を特徴とする請求項１から８までのいずれか一項に記載の照明器具。
【手続補正２】
【補正対象書類名】明細書
【補正対象項目名】０００６
【補正方法】変更
【補正の内容】
【０００６】
上記課題を解決するために、本発明の一態様による照明器具は、基板の基板実装面に実装された複数の発光素子を備えた光源部と、前記基板実装面側から見て前記光源部の外周囲からはみ出さず、かつ前記基板の中心軸の軸方向に沿って配置され、前記発光素子を駆動する少なくとも１個の駆動用電源回路を収納する電源収納部と、前記電源収納部と前記光源部との間に空間を設けて前記電源収納部を前記光源部に連結する連結部とを有し、前記光源部は、前記基板実装面の裏面側に設けられ、前記基板で発生した熱を放熱する放熱部を有し、前記連結部は、両端が二股形状に形成されたアーチ状を有し、前記放熱部には、光の出射側とは反対方向に突出して設けられた複数のフィンが形成されており、前記複数のフィンのうち、他の領域より幅広に形成された領域を有するフィンが、前記連結部の前記両端に前記幅広に形成された領域で取り付けられていることを特徴とする。
【手続補正３】
【補正対象書類名】明細書
【補正対象項目名】０００８
【補正方法】削除
【補正の内容】